(57)【特許請求の範囲】
【請求項１】
パネルに固定される固定ユニットと、固定ユニットの背面側に突出した装着部に対して前後方向に着脱自在に外嵌する着脱ユニットと、を含むパネル用分離型ユニット構造において、
平板状の弾性片の両端を、着脱ユニットにおける外部に露出した２側面であって固定ユニットの前後方向に平行な互いに対向する２側面の内側の上部に一体化し、
前記弾性片の下面の中央部に、固定ユニットの装着部の外周面の一部に形成された固定側係合部に対して下方に係合する着脱側係合部を形成し、
前記２側面を互いに近接する方向に押圧操作した時の前記弾性片の中央部の上方への弾性変形によって前記固定側係合部に対する前記着脱側係合部の係合状態が解除されることを特徴とするパネル用分離型ユニット構造。
【請求項２】
前記着脱ユニットは、少なくとも固定ユニットの装着部の外周面における固定側係合部の形成位置に内周面が対向する嵌入部を有することを特徴とする請求項１に記載のパネル用分離型ユニット構造。
【請求項３】
前記着脱ユニットは、弾性片の一部に着脱ユニットの外周部の外側に突出する前後方向の孔部を形成したことを特徴とする請求項１及び２に記載のパネル用分離型ユニット構造。
【発明の詳細な説明】
【０００１】
【発明の属する技術分野】
この発明は、表示灯や照光式押しボタンスイッチ等のように、パネルに固定された固定ユニットの背面側に対して光源及び給電部品又はスイッチ機構を内蔵した着脱ユニットを着脱自在に備えたパネル用分離型ユニット構造に関する。
【０００２】
【従来の技術】
パネルに取り付けて使用される電気部品のうち、表示灯や照光式押しボタンスイッチ等の光源ランプを備えたものでは、光源ランプの球切れ時や光源色の変更時等を考慮して、光源ランプを容易に交換できる構造を備える必要がある。このため、表示灯や照光式押しボタンスイッチ等のパネル用電気部品では、透光性の表示部をパネルの前面に露出した状態でパネルに固定される固定ユニットと、光源ランプ及び給電回路等を内蔵するとともに固定ユニットにおいて表示部の背面側に突出した装着部に外嵌する嵌入部を形成した着脱ユニットと、からなる分離型ユニット構造としたものがある。
【０００３】
従来のパネル用分離型ユニット構造として、図４（Ａ）に示すように固定ユニット４１において表示部４１ａの背面側に突出した装着部４１ｂの外周面の一部に凹状の係合部４２を形成する一方、着脱ユニット４３の嵌入部４３ａの一部に凸状の係合部４４を弾性片４４ａを介して支持し、係合部４４を係合部４２に弾性的に係合させることにより、固定ユニット４１の装着部４１ｂに対する着脱ユニット４３の嵌入部４３ａの外嵌状態を維持するようにしたものがある。
【０００４】
このユニット構造においては、同図（Ｂ）に示すように係合部４４の外側に形成された孔部４５に挿入したドライバ等の汎用の工具を介して弾性片４４ａを外側に弾性変形させ、同図（Ｃ）に示すように係合部４２に対する係合部４４の係合状態を解除することにより、同図（Ｄ）に示すように固定ユニット４１から着脱ユニット４３を分離することができる。
【０００５】
また、図５（Ａ）に示すように固定ユニット５１の装着部５１ｂにおける２箇所に係合孔５２を形成する一方、着脱ユニット５３の嵌入部５３ａの２箇所に凸状の係合部５４を弾性片５４ａを介して支持し、同図（Ｂ）に示すように係合部５４を装着部５１ｂの内側から係合孔５２に係合させることにより、固定ユニット５１の装着部５１ｂに対する着脱ユニット５３の嵌入部５３ａの外嵌状態を維持するようにしたものもある。
【０００６】
このユニット構造においては、同図（Ｃ）に示すように係合部５４を外側から押圧することによって弾性片５４ａを内側に弾性変形させ、係合孔５２に対する係合部５４の係合状態を解除することにより、同図（Ｄ）に示すように固定ユニット５１から着脱ユニット５３を分離することができる。
【０００７】
【発明が解決しようとする課題】
しかしながら、図４に示したユニット構造では、固定ユニット４１から着脱ユニット４３を取り外す際に、弾性片４４ａを弾性変形させるために孔部４５内に挿入すべき工具が常に必要になり、着脱ユニット４３の取外作業が煩雑化する問題がある。また、係合部４４を形成した弾性片４４ａが、嵌入部４３ａの一部に形成されているため、例えば、着脱ユニット４３の背面から延出した電源コード等を介して着脱ユニット４３の背面に図４（Ａ）における下方向に大きな外力が作用した場合に、弾性片４４ａが装着部４１ｂの背面側の端部による押圧によって外側に変形し、係合部４２に対する係合部４４の係合状態が解除され、固定ユニット４１から取り外すべきでない着脱ユニット４３が脱落してしまう可能性があった。
【０００８】
また、図５に示したユニット構造では、固定ユニット５１から着脱ユニット５３を取り外す際に、係合孔５２に対する係合部５４の係合状態を解除するために、係合部５４を外側から押圧することによって弾性片５４ａを内側に弾性変形させる必要があるが、パネルに対して複数のユニットを集合配置した場合には、各ユニット間には係合部５４を手指で押圧するためのスペースがなく、専用工具が必要となる問題がある。
【０００９】
この発明の目的は、パネルに独立配置した場合には工具を用いることなく固定ユニットから着脱ユニットを極めて容易に取り外すことができるとともに外力の作用によって着脱ユニットが固定ユニットから脱落することがなく、パネルに集合配置した場合にも専用工具を用いることなく固定ユニットから着脱ユニットを容易に取り外すことができるパネル用分離型ユニット構造を提供することにある。
【００１０】
【課題を解決するための手段】
この発明は、上記の課題を解決するための手段として、以下の構成を備えている。
【００１１】
(1) パネルに固定される固定ユニットと、固定ユニットの背面側に突出した装着部に対して前後方向に着脱自在に外嵌する着脱ユニットと、を含むパネル用分離型ユニット構造において、
平板状の弾性片の両端を、着脱ユニットにおける外部に露出した２側面であって固定ユニットの前後方向に平行な互いに対向する２側面の内側の上部に一体化し、
前記弾性片の下面の中央部に、固定ユニットの装着部の外周面の一部に形成された固定側係合部に対して下方に係合する着脱側係合部を形成し、
前記２側面を互いに近接する方向に押圧操作した時の前記弾性片の中央部の上方への弾性変形によって前記固定側係合部に対する前記着脱側係合部の係合状態が解除されることを特徴とする。
【００１２】
この構成においては、着脱ユニットにおいて固定ユニットの前後方向に平行な互いに対向する２側面に支持された弾性片の一部に形成した着脱側係合部が、固定ユニットの装着部の外周面の一部に形成された固定側係合部に対して、固定ユニットの前後方向に直交する方向に係合する。したがって、弾性片を支持する２側面を互いに接近する方向に押圧して弾性片を弾性変形させると、着脱側係合部が固定側係合部から離間して両者の係合状態が解除され、固定ユニットから着脱ユニットを分離できる状態になる。
【００１３】
(2) 前記着脱ユニットは、少なくとも固定ユニットの装着部の外周面における固定側係合部の形成位置に内周面が対向する嵌入部を有することを特徴とする。
この構成においては、固定ユニットの装着部の外周面における固定側係合部の形成位置が着脱ユニットの嵌入部の内周面に対向する状態で、着脱ユニットの嵌入部が固定ユニットの装着部に外嵌する。したがって、固定ユニットに装着された着脱ユニットに対して外力が作用した場合にも、固定ユニットの装着部の外周面における固定側係合部の形成位置が着脱ユニットの嵌入部の内周面に当接し、固定ユニットの装着部から着脱ユニットの弾性片に対して着脱側係合部と固定側係合部との係合状態を解除する方向への押圧力が作用することがない。
【００１４】
(3) 前記着脱ユニットは、弾性片の一部に着脱ユニットの外周部の外側に突出する前後方向の孔部を形成したことを特徴とする。
【００１５】
この構成においては、着脱側係合部が形成されている弾性片の一部から前後方向の孔部が着脱ユニットの外周部の外側に突出する。したがって、弾性片を支持する２側面の外側に十分なスペースがない場合にも、着脱ユニットの背面から孔部に挿入した汎用の工具を介して固定側係合部との係合状態を解除する方向に着脱側係合部を容易に移動させることができる。
【００１６】
【発明の実施の形態】
図１は（Ａ）〜（Ｄ）は、この発明の実施形態に係るパネル用分離型ユニット構造を適用した表示灯における着脱ユニットの正面図、固定ユニット及び着脱ユニットの要部の側面図、固定ユニットと着脱ユニットとの装着状態を示す要部の側面断面図、及び、固定ユニットから取り外す際の着脱ユニットの変形状態を示す正面図である。また、図２は、同表示灯において固定ユニットから着脱ユニットを取り外す際の動作を説明する背面方向の斜視図である。
【００１７】
表示灯１は、図示しない透光性の表示部をパネルの前面に露出した状態でパネルに取付られる固定ユニット２と、内部に光源ランプ１０及び給電回路１１等を収納した着脱ユニット３と、を含み、固定ユニット２の背面側に着脱ユニット３が着脱自在に装着される。
【００１８】
表示灯１の着脱ユニット３において、表示灯１の前後方向に平行な互いに対向する２側面３ａ，３ｂの内側面の上部には、平板状の弾性片４の両端が一体的に成形されている。この弾性片４の下面にはこの発明の着脱側係合部である突起４ａが突出して形成されており、弾性片４の上面には孔部４ｂが着脱ユニット３の外側に突出している。
【００１９】
着脱ユニット３には、正面に開放した嵌入穴５が形成されている。この嵌入穴５は、この発明の嵌入部であり、固定ユニット２の装着部２ａに外嵌する。装着部２ａの外周部の上面には、この発明の固定側係合部である凹部２ｂが形成されている。固定ユニット２に着脱ユニット３を装着した際に、着脱ユニット３の突起４が固定ユニット２の凹部２ｂに対して、固定ユニット２の前後方向に直交する方向（図１（Ａ）〜（Ｄ）における下方向）に弾性的に係合する（図１（Ｃ）参照）。
【００２０】
嵌入穴５の内周面は、着脱ユニット３の内部において、全周にわたって固定ユニット２の装着部２ａの外周部に対向している。即ち、固定ユニット２に着脱ユニット３が装着された状態では、固定ユニット２の装着部２ａの外周部において、凹部２ｂが形成されている部分も嵌入穴５の内周面に当接しており、着脱ユニット３の背面に下方向の外力が作用した場合でも、嵌入穴５において装着部２ａの角度変化を生じることがなく、装着部２ａの上面によって突起４ａを含む弾性片４が上方に押圧されることはない。したがって、着脱ユニット３に対する外力の作用によって凹部２ｂに対する突起４の係合状態が解除されることがなく、固定ユニット２から取り外すべきでない着脱ユニット３が脱落してしまうことがない。
【００２１】
パネルに取り付けた後の表示灯１において、光源ランプ１０の球切れ時や光源色の変更時に、固定ユニット２から着脱ユニット３を取り外す際には、図２に示すように、着脱ユニット３の２側面３ａ及び３ｂの外側面における上下方向の中央部を手指によって内側に押圧操作する。この操作によって、着脱ユニット３において２側面３ａ及び３ｂの間に支持された弾性片４の中央部が図１（Ｄ）に示すように上方に弾性変形し、弾性片４の下面の中央部に形成された突起４ａが上方に移動する。この移動によって、突起４ａと固定ユニット２の装着部２ａに形成された凹部２ｂとの係合状態が解除される。この状態から着脱ユニット３を固定ユニット２の背面側に移動させることにより、着脱ユニット３を固定ユニット２から取り外すことができる。
【００２２】
このように、単一の表示灯１がパネルに独立配置されており、パネルの背面において着脱ユニット３の両側部に手指によって２側面３ａ及び３ｂを押圧するために十分なスペースが存在する場合には、工具を用いることなく着脱ユニット３を固定ユニット２から取り外すことができる。
【００２３】
なお、複数の表示灯１をパネルに集合配置されている等の場合であって、パネルの背面において着脱ユニット３の両側部に手指によって２側面３ａ及び３ｂを押圧するために十分なスペースが存在しない場合には、着脱ユニット３の背面側から弾性片４の上面に形成された孔部４ｂにドライバ等の汎用の工具を挿入し、この工具を介して弾性片４を上方に持ち上げることにより、突起４ａと凹部２ｂとの係合状態を解除することができ、専用工具を用いることなく着脱ユニット３を固定ユニット２から取り外すことができる。
【００２４】
図３（Ａ）〜（Ｃ）は、この発明の別の実施形態に係るパネル用分離型ユニット構造を適用した表示灯の着脱ユニットの正面図、固定ユニット及び着脱ユニットの要部の側面図、及び、固定ユニットと着脱ユニットとの装着状態を示す要部の側面断面図である。この実施形態に係る表示灯２１は、着脱ユニット２３の正面側の上下２個所に弾性片２４を備えている。各弾性片２４は、その両端部を前後方向に平行な２側面２３ａ，２３ｂの内側面に一体にして形成されており、上側の弾性片２４の下面及び下側の弾性片２４の上面には、突起２４ａが突出して形成されているとともに、上側の弾性片２４の上面及び下側の弾性片２４の下面には孔部２４ｂが着脱ユニット２３の上下面の外側に突出して形成されている。なお、２側面２３ａ、２３ｂのそれぞれにおける上下方向の中間部には前後方向の切欠き２６が形成されている。
【００２５】
これに対応して、固定ユニット２２の装着部２２ａの外周面における上下２箇所には、固定ユニット２２に着脱ユニット２３を装着した際に、上下の弾性片２４に形成された突起２４ａが弾性的に係合する凹部２２ｂが形成されている。この構成により、固定ユニット２２に着脱ユニット２３を装着した際に固定ユニット２２及び着脱ユニット２３の上下２箇所において凹部２２ｂと突起２４ａとが係合し、両者の装着状態がより堅牢に維持される。
【００２６】
また、固定ユニット２２から着脱ユニット２３を取り外す際には、着脱ユニット２３における２側面２３ａ，２３ｂの上下方向の中間部分を外側から内側に向かって押圧することにより、上側の弾性片２４の中央部は上方に、下側の弾性片２４の中央部は下方にそれぞれ弾性変形し、固定ユニット２２の装着部２２ａの２個所に形成された凹部２２ｂのそれぞれに対する突起２４ａの係合が解除される。この状態から着脱ユニット２３を背面側に移動させることにより、固定ユニット２２から着脱ユニット２３を取り外すことができる。
【００２７】
なお、上記の実施形態においては、この発明に係るパネル用分離型ユニット構造を表示灯に適用した場合について説明したが、照光式押しボタンスイッチ等の他のパネル用電気部品についても、この発明を同様に実施することができる。
【００２８】
【発明の効果】
この発明は、以下の効果を奏することができる。
【００２９】
(1) 着脱ユニットにおいて固定ユニットの前後方向に平行な互いに対向する２側面に支持された弾性片の一部に形成した着脱側係合部を、固定ユニットの装着部の外周面の一部に形成された固定側係合部に対して、固定ユニットの前後方向に直交する方向に係合させることにより、弾性片を支持する２側面を互いに接近する方向に押圧して弾性片を弾性変形させると、着脱側係合部が固定側係合部から離間して両者の係合状態を解除することができ、固定ユニットから着脱ユニットを極めて容易に取り外すことができる。
【００３０】
(2) 固定ユニットの装着部の外周面における固定側係合部の形成位置を着脱ユニットの嵌入部の内周面に対向させた状態で、着脱ユニットの嵌入部を固定ユニットの装着部に外嵌させることにより、固定ユニットに装着された着脱ユニットに対して外力が作用した場合に、固定ユニットの装着部の外周面における固定側係合部の形成位置を着脱ユニットの嵌入部の内周面に当接させることができる。これによって、着脱ユニットに外力が作用した場合にも、固定ユニットの装着部から着脱ユニットの弾性片に対して着脱側係合部と固定側係合部との係合状態を解除する方向への押圧力が作用しないようにすることができ、固定ユニットから着脱ユニットが誤って脱落することを確実に防止できる。
【００３１】
(3) 着脱側係合部が形成されている弾性片の一部から前後方向の孔部を着脱ユニットの外周部の外側に突出させることにより、弾性片を支持する２側面の外側に十分なスペースがない場合にも、着脱ユニットの背面から孔部に挿入した汎用の工具を介して固定側係合部との係合状態を解除する方向に着脱側係合部を容易に移動させることができ、固定ユニットから着脱ユニットを容易に取り外すことができる。
【図面の簡単な説明】
【図１】この発明の実施形態に係るパネル用分離型ユニット構造を適用した表示灯における着脱ユニットの正面図、固定ユニット及び着脱ユニットの要部の側面図、固定ユニットと着脱ユニットとの装着状態を示す要部の側面断面図、及び、固定ユニットから取り外す際の着脱ユニットの変形状態を示す正面図である。
【図２】同表示灯において固定ユニットから着脱ユニットを取り外す際の動作を説明する背面方向の斜視図である。
【図３】この発明の別の実施形態に係るパネル用分離型ユニット構造を適用した表示灯の着脱ユニットの正面図、及び、固定ユニット及び着脱ユニットの要部の側面図である。
【図４】従来のパネル用分離型ユニット構造、及び、その動作を説明する図である。
【図５】従来の別のパネル用分離型ユニット構造、及び、その動作を説明する図である。
【符号の説明】
１，２１−表示灯
２，２２−固定ユニット
２ａ，２２ａ−装着部
２ｂ，２２ｂ−凹部（固定側係合部）
３，２３−着脱ユニット
３ａ，３ｂ，２３ａ，２３ｂ−側面
４，２４−弾性片
４ａ，２４ａ−突起（装着側係合部）
４ｂ，２４ｂ−孔部
５−嵌入穴（嵌入部）
【図１】
0004508395.tif 000002
【図２】
0004508395.tif 000003
【図３】
0004508395.tif 000004
【図４】
0004508395.tif 000005
【図５】
0004508395.tif 000006